【手続補正書】
【提出日】平成25年11月29日(2013.11.29)
【手続補正１】
【補正対象書類名】特許請求の範囲
【補正対象項目名】全文
【補正方法】変更
【補正の内容】
【特許請求の範囲】
【請求項１】
端末装置で電子書籍のページが閲覧された際に、前記電子書籍の書籍識別情報及び閲覧された前記ページのページ情報を前記端末装置から、ネットワークを介して受信し、
受信した前記書籍識別情報及び前記ページ情報と、前記書籍識別情報及び前記ページ情報に予め対応付けられる電子クーポンのクーポン識別情報とから、前記端末装置に送信する電子クーポンを決定し、
決定した前記電子クーポンの電子データを前記端末装置に前記ネットワークを介して送信することを特徴とする電子クーポン発行方法。
【請求項２】
前記電子クーポンを決定するときに、
前記端末装置に対して発行可能な電子クーポンを決定して前記発行可能な電子クーポンの情報を前記端末装置に送信し、
前記発行可能な電子クーポンの情報を前記端末装置に送信の後に前記端末装置から送信される前記発行可能な電子クーポンから選択された電子クーポンのクーポン識別情報を含むクーポン発行要求を受信し、
受信した前記クーポン発行要求に含まれるクーポン識別情報により送信する前記電子クーポンを決定する請求項１に記載の電子クーポン発行方法。
【請求項３】
前記発行可能な電子クーポンの決定は、予め電子クーポンに対して設定される発行条件を満たすか否かの判断により行われる請求項２に記載の電子クーポン発行方法。
【請求項４】
前記発行可能な電子クーポンの決定は、電子クーポンを発行するときに記録される、既に発行済みである電子クーポンのクーポン識別情報に基づいて行われる請求項２または３に記載の電子クーポン発行方法。
【請求項５】
電子書籍の書籍識別情報及び閲覧されたページのページ情報を受信する受信部と、
受信した前記書籍識別情報及び前記ページ情報と、前記書籍識別情報及び前記ページ情報に予め対応付けられる電子クーポンのクーポン識別情報とから、送信する電子クーポンの電子データを生成する送信情報生成部と、
前記電子クーポンの電子データを送信する送信部と、を有する
ことを特徴とする電子クーポン発行装置。
【請求項６】
電子書籍のページを表示する際に、前記電子書籍の書籍識別情報及び表示した前記ページのページ情報を送信する端末装置と、
前記書籍識別情報及び前記ページ情報を受信し、受信した前記書籍識別情報及び前記ページ情報と、前記書籍識別情報及び前記ページ情報に予め対応付けられる電子クーポンのクーポン識別情報とから、前記端末装置に送信する電子クーポンを決定し、決定した前記電子クーポンの電子データを前記端末装置に送信するサーバ装置と、を備える
ことを特徴とする電子クーポン発行システム。
【請求項７】
前記端末装置は、送信された前記電子データに基づいて前記電子データを表示し、表示した前記電子クーポンを印刷させる請求項６に記載の電子クーポン発行システム。
【請求項８】
電子書籍のページを表示する際に、前記電子書籍の書籍識別情報及び表示した前記ページのページ情報を送信し、
前記電子書籍の記載に関連する電子クーポンの電子データを受信し、前記電子データにより前記電子クーポンを表示することを特徴とする端末装置。
【手続補正２】
【補正対象書類名】明細書
【補正対象項目名】０００７
【補正方法】変更
【補正の内容】
【０００７】
上記の目的を達成するために、本発明の一つの側面は、電子クーポン発行方法において、端末装置で電子書籍のページが閲覧された際に、前記電子書籍の書籍識別情報及び閲覧された前記ページのページ情報を前記端末装置から、ネットワークを介して受信し、受信した前記書籍識別情報及び前記ページ情報と、前記書籍識別情報及び前記ページ情報に予め対応付けられる電子クーポンのクーポン識別情報とから、前記端末装置に送信する電子クーポンを決定し、決定した前記電子クーポンの電子データを前記端末装置に前記ネットワークを介して送信する、ことである。
【手続補正３】
【補正対象書類名】明細書
【補正対象項目名】０００８
【補正方法】変更
【補正の内容】
【０００８】
更に、上記の発明において、その好ましい態様は、前記電子クーポンを決定するときに、前記端末装置に対して発行可能な電子クーポンを決定して前記発行可能な電子クーポンの情報を前記端末装置に送信し、前記発行可能な電子クーポンの情報を前記端末装置に送信の後に前記端末装置から送信される前記発行可能な電子クーポンから選択された電子クーポンのクーポン識別情報を含むクーポン発行要求を受信し、受信した前記クーポン発行要求に含まれるクーポン識別情報により送信する前記電子クーポンを決定する、ことを特徴とする。
【手続補正４】
【補正対象書類名】明細書
【補正対象項目名】０００９
【補正方法】変更
【補正の内容】
【０００９】
更に、上記の発明において、好ましい態様は、前記発行可能な電子クーポンの決定は、予め電子クーポンに対して設定される発行条件を満たすか否かの判断により行われる、ことを特徴とする。
【手続補正５】
【補正対象書類名】明細書
【補正対象項目名】００１０
【補正方法】変更
【補正の内容】
【００１０】
更にまた、上記の発明において、好ましい態様は、前記発行可能な電子クーポンの決定は、電子クーポンを発行するときに記録される、既に発行済みである電子クーポンのクーポン識別情報に基づいて行われる、ことを特徴とする。
【手続補正６】
【補正対象書類名】明細書
【補正対象項目名】００１１
【補正方法】変更
【補正の内容】
【００１１】
上記の目的を達成するために、本発明の別の側面は、電子クーポン発行装置が、電子書籍の書籍識別情報及び閲覧されたページのページ情報を受信する受信部と、受信した前記書籍識別情報及び前記ページ情報と、前記書籍識別情報及び前記ページ情報に予め対応付けられる電子クーポンのクーポン識別情報とから、送信する電子クーポンの電子データを生成する送信情報生成部と、前記電子クーポンの電子データを送信する送信部と、を有する、ことである。
【手続補正７】
【補正対象書類名】明細書
【補正対象項目名】００１２
【補正方法】変更
【補正の内容】
【００１２】
上記の目的を達成するために、本発明の更に別の側面は、電子クーポン発行システムが、電子書籍のページを表示する際に、前記電子書籍の書籍識別情報及び表示した前記ページのページ情報を送信する端末装置と、前記書籍識別情報及び前記ページ情報を受信し、受信した前記書籍識別情報及び前記ページ情報と、前記書籍識別情報及び前記ページ情報に予め対応付けられる電子クーポンのクーポン識別情報とから、前記端末装置に送信する電子クーポンを決定し、決定した前記電子クーポンの電子データを前記端末装置に送信するサーバ装置と、を備える、ことである。
【手続補正８】
【補正対象書類名】明細書
【補正対象項目名】００１３
【補正方法】変更
【補正の内容】
【００１３】
更に、上記の発明において、その好ましい態様は、前記端末装置は、送信された前記電子データに基づいて前記電子データを表示し、表示した前記電子クーポンを印刷させる、ことを特徴とする。
【手続補正９】
【補正対象書類名】明細書
【補正対象項目名】００１４
【補正方法】変更
【補正の内容】
【００１４】
上記の目的を達成するために、本発明の更に別の側面は、端末装置が、電子書籍のページを表示する際に、前記電子書籍の書籍識別情報及び表示した前記ページのページ情報を送信し、前記電子書籍の記載に関連する電子クーポンの電子データを受信し、前記電子データにより前記電子クーポンを表示する、ことである。